(57)【要約】【課題】蛍光観察と他の観察との切り替えが容易であり、また、バリアフィルタの汚損から保護することができる細隙灯顕微鏡を提供する。【解決手段】細隙灯顕微鏡１は、被検眼２ａを拡大する対物顕微鏡部２０と、対物顕微鏡部２０からの観察光が導かれ被検眼２ａを観察するための双眼部４１と、対物顕微鏡部２０と双眼部４１との間に設けられた中間部ケース部３１と、中間部ケース部３１に収容され、観察位置と退避位置との間で移動可能に設けられた蛍光観察用のバリアフィルタ３３ａと、バリアフィルタ３３ａを移動するために操作するフィルタ操作ノブ３５と、中間部ケース部３１に収容され、フィルタ操作ノブ３５の操作に応じて、バリアフィルタ３３ａを観察位置と退避位置との間で移動をするフィルタ移動部３４とを備える。【選択図】図２
2011004877.tif 000002
【特許請求の範囲】
【請求項１】
左右一対の光学系を有し、被検眼を拡大する拡大部と、
前記拡大部からの観察光が導かれる左右一対の光学系を有し、観察者が被検眼を観察するための双眼観察部と、
前記拡大部と前記双眼観察部との間に設けられたケース部と、
前記ケース部に収容され、観察光路内に配置された観察位置と、前記観察位置から前記観察光の光軸とは直交する方向に移動した位置であり前記観察光路から退避した退避位置との間で移動可能に設けられた蛍光観察用のバリアフィルタと、
前記バリアフィルタを移動するために操作するフィルタ操作部と、
前記ケース部に収容され、前記フィルタ操作部の操作に応じて、前記バリアフィルタを前記観察位置と前記退避位置との間で移動をするフィルタ移動部と、
を備える細隙灯顕微鏡。
【請求項２】
請求項１に記載の細隙灯顕微鏡において、
前記拡大部は、内斜系実体の左右一対の光学系を有し、
前記バリアフィルタは、前記拡大部の前記左右一対の光学系にそれぞれ設けられた板状の部材であり、その各表面が前記各光学系の光軸に直交するように配置され、前記フィルタ移動部の前記バリアフィルタの移動方向が鉛直方向であること、
を特徴とする細隙灯顕微鏡。
【請求項３】
請求項１又は請求項２に記載の細隙灯顕微鏡において、
前記バリアフィルタと一体で移動し、前記バリアフィルタが前記退避位置にある状態で前記観察光路内に配置され、前記バリアフィルタが前記退避位置にある状態の観察光路長と、前記バリアフィルタが前記観察位置にある状態の観察光路長とが等しくなるように補正する光路長補正部材を備えること、
を特徴とする細隙灯顕微鏡。
【請求項４】
請求項１から請求項３までのいずれか１項に記載の細隙灯顕微鏡において、
前記拡大部は、変倍光学系を有し、
前記ケース部内に観察方向に平行に延在するように配置され、前記変倍光学系の倍率を変更する駆動力を伝達する駆動力伝達部と、
前記バリアフィルタを前記移動可能に保持し、前記移動をする過程で前記駆動力伝達部との干渉を防止する切り欠きを有するバリアフィルタ保持枠とを備えること、
を特徴とする細隙灯顕微鏡。
【請求項５】
請求項１から請求項４までのいずれか１項に記載の細隙灯顕微鏡において、
撮像部と、
前記ケース部に収容され、前記拡大部の観察光の少なくとも一部を前記撮像部の方向に屈曲させる屈曲位置と、前記拡大部からの観察光を前記双眼観察部へと透過させる透過位置との間で移動可能に設けられ、その移動方向が前記バリアフィルタの移動方向と同じ鉛直方向である屈曲部とを備え、
前記バリアフィルタは、前記拡大部と前記屈曲部との間に設けられた間隙に配置されていること、
を特徴とする細隙灯顕微鏡。
【請求項６】
請求項５に記載の細隙灯顕微鏡において、
前記屈曲部を移動するために操作する屈曲操作部と、
前記ケース部に収容され、前記屈曲操作部の操作に応じて、前記屈曲部を前記屈曲位置と前記透過位置との間で移動をする屈曲部移動部とを備え、
前記フィルタ移動部及び前記屈曲部移動部は、前記ケース部の左右方向の両端部であって左右対称の範囲に収容され、
前記フィルタ操作部及び前記屈曲操作部は、前記ケース部の左右方向の側面のうち前記フィルタ移動部及び前記屈曲部移動部に対応する側であって、左右対称の範囲に配置されていること、
を特徴とする細隙灯顕微鏡。
【発明の詳細な説明】
【技術分野】
【０００１】
本発明は、被検眼をスリット光で照射して観察を行う細隙灯顕微鏡に関するものである。
【背景技術】
【０００２】
従来、被検眼をスリット光で照明して、観察を行うスリットランプ（細隙灯顕微鏡）があった（例えば特許文献１）。従来のスリットランプを利用して、例えばコンタクトレンズ装着時の観察へと切り替える場合には、観察者は、その都度、蛍光観察用のバリアフィルタを取り付ける必要があった。
しかし、眼科医療の現場では、蛍光観察と他の観察との切り替えが頻繁に行われており、観察者は、バリアフィルタの着脱作業に煩わしさを感じる場合があった。また、バリアフィルタは、着脱時にゴミが付着したり傷をつけてしまう等、汚損してしまう場合があった。
【先行技術文献】
【特許文献】
【０００３】
【特許文献１】特開２００２−２２４０３６号公報
【発明の概要】
【発明が解決しようとする課題】
【０００４】
本発明の課題は、蛍光観察と他の観察との切り替えが容易であり、また、バリアフィルタの汚損から保護することができる細隙灯顕微鏡を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、左右一対の光学系を有し、被検眼（２ａ）を拡大する拡大部（２０）と、前記拡大部からの観察光が導かれる左右一対の光学系を有し、観察者（３）が被検眼を観察するための双眼観察部（４１）と、前記拡大部と前記双眼観察部との間に設けられたケース部（３１）と、前記ケース部に収容され、観察光路内に配置された観察位置と、前記観察位置から前記観察光の光軸とは直交する方向に移動した位置であり前記観察光路から退避した退避位置との間で移動可能に設けられた蛍光観察用のバリアフィルタ（３３ａ）と、前記バリアフィルタを移動するために操作するフィルタ操作部（３５）と、前記ケース部に収容され、前記フィルタ操作部の操作に応じて、前記バリアフィルタを前記観察位置と前記退避位置との間で移動をするフィルタ移動部（３４）と、を備える細隙灯顕微鏡である。
第２の発明は、第１の発明の細隙灯顕微鏡において、前記拡大部（２０）は、内斜系実体の左右一対の光学系を有し、前記バリアフィルタ（３３ａ）は、前記拡大部の前記左右一対の光学系にそれぞれ設けられた板状の部材であり、その各表面が前記各光学系の光軸（Ｏ１，Ｏ２）に直交するように配置され、前記フィルタ移動部（３４）の前記バリアフィルタの移動方向が鉛直方向（Ｚ）であること、を特徴とする細隙灯顕微鏡である。
第３の発明は、第１又は第２の発明の細隙灯顕微鏡において、前記バリアフィルタ（３３ａ）と一体で移動し、前記バリアフィルタが前記退避位置にある状態で前記観察光路内に配置され、前記バリアフィルタが前記退避位置にある状態の観察光路長と、前記バリアフィルタが前記観察位置にある状態の観察光路長とが等しくなるように補正する光路長補正部材（３３ｂ）を備えること、を特徴とする細隙灯顕微鏡である。
第４の発明は、第１から第３までのいずれかの発明の細隙灯顕微鏡において、前記拡大部（２０）は、変倍光学系を有し、前記ケース部（３１）内に観察方向に平行に延在するように配置され、前記変倍光学系の倍率を変更する駆動力を伝達する駆動力伝達部（２５）と、前記バリアフィルタ（３３ａ）を移動可能に保持し、前記移動をする過程で前記駆動力伝達部との干渉を防止する切り欠き（３３ｅ）を有するバリアフィルタ保持枠（３３ｃ）とを備えること、を特徴とする細隙灯顕微鏡である。
第５の発明は、第１から第４までのいずれかの発明の細隙灯顕微鏡において、撮像部（４０）と、前記ケース部（３１）に収容され、前記拡大部（２０）の観察光の少なくとも一部を前記撮像部の方向に屈曲させる屈曲位置と、前記拡大部からの観察光を前記双眼観察部（４１）へと透過させる透過位置との間で移動可能に設けられ、その移動方向が前記バリアフィルタ（３３ａ）の移動方向と同じ鉛直方向Ｚである屈曲部（３６ａ）とを備え、前記バリアフィルタは、前記拡大部と前記屈曲部との間に設けられた間隙に配置されていること、を特徴とする細隙灯顕微鏡である。
第６の発明は、第５の発明の細隙灯顕微鏡において、前記屈曲部（３６ａ）を移動するために操作する屈曲操作部（３６ｈ）と、前記ケース部（３１）に収容され、前記屈曲操作部の操作に応じて、前記屈曲部を前記屈曲位置と前記透過位置との間で移動をする屈曲部移動部（３６ｇ）とを備え、前記フィルタ移動部（３４）及び前記屈曲部移動部は、前記ケース部の左右方向（Ｘ）の両端部であって左右対称の範囲に収容され、前記フィルタ操作部（３５）及び前記屈曲操作部は、前記ケース部の左右方向の側面のうち前記フィルタ移動部及び前記屈曲部移動部に対応する側であって、左右対称の範囲に配置されていること、を特徴とする細隙灯顕微鏡である。
【発明の効果】
【０００７】
本発明によれば、以下の効果を奏することができる。
（１）本発明は、バリアフィルタをケース部に収容し、バリアフィルタをケース部に収容した状態で移動できるのでバリアフィルタを汚損することがない。また、フィルタ操作部の操作に応じて、バリアフィルタを観察位置と退避位置との間で移動するので、通常の観察と蛍光観察との切り替えを容易に行うことができる。さらに、アタッチメント等を着脱する必要がないので、通常の観察及び蛍光観察を連続して行うことができ、被検者に色々な検査をしていると思わせたりすることがないので、被検者を不安にさせることがない。
（２）本発明は、拡大部が内斜系実体の光学系であり、バリアフィルタの移動方向が鉛直方向つまり左右の光学系にともに直交する方向であるので、拡大部が内斜系実体の光学系であっても、バリアフィルタを観察位置と退避位置との間で移動することができる。
【０００８】
（３）本発明は、光路長補正部材を備えるので、バリアフィルタが観察位置と退避位置とに配置された場合の光路長を等しくし、精度のよい観察をすることができる。
（４）本発明は、バリアフィルタ保持枠が変倍光学系の駆動力伝達部との干渉を防止する切り欠きを有するので、操作部をバリアフィルタよりも観察方向後側に配置して、バリアフィルタよりも観察方向後側から変倍光学系に駆動力を伝達することができる。これにより、観察者は、バリアフィルタよりも観察方向前側に手を伸ばさなくても、変倍操作をすることができる。このように、本発明は、バリアフィルタを設けた場合であっても、変倍操作を容易に行うことができる。
【０００９】
（５）本発明は、拡大部と屈曲部との間に間隙を設け、この間隙にバリアフィルタを配置し、屈曲部及びバリアフィルタの移動方向を同じにするので、装置を大型にすることがなく、また、屈曲部及びバリアフィルタが干渉することなく、観察光の光路内に互いに自由に配置、退避させることができる。
（６）本発明は、フィルタ移動部及び屈曲部移動部をケース内に左右対称に配置することにより、各移動部をバランスよく配置できるので、この装置の重さの左右バランスをよくすることができ、またケース部が大型になることがない。さらに、フィルタ操作部及び屈曲操作部は、左右方向の側面の左右対称の範囲に配置されているので、観察者は、これらの位置を感覚的に把握しやすく、操作性を向上することができる。
【図面の簡単な説明】
【００１０】
【図１】本実施形態の細隙灯顕微鏡１の側面図である。
【図２】本実施形態の本体部１０の右側光学系の光軸断面を示す側面図である。
【図３】本実施形態の本体部１０の断面を含む上面図である。
【図４】本実施形態の本体部１０の一部の分解斜視図である。
【図５】本実施形態の右側面及び左側面を表す斜視図である。
【図６】本実施形態のフィルタ保持枠３３ｃの移動動作を模式的に説明する右側面図である。
【発明を実施するための形態】
【００１１】
（実施形態）
以下、図面等を参照して、本発明の実施形態について説明する。
図１は、本実施形態の細隙灯顕微鏡（眼医療用スリットランプ）１の側面図である。
なお、以下の細隙灯顕微鏡１の説明及び図面において、図１の紙面に直交する方向を左右方向Ｘ、図１の左右方向を観察方向Ｙ、図１の上下方向を鉛直方向Ｚとして説明する。
細隙灯顕微鏡１は、基台４と、被検眼固定部５と、滑動台６と、支持アーム７と、照明部８と、本体部１０とを備えている。
基台４は、細隙灯顕微鏡１のベースとなる部材である。
被検眼固定部５は、被検者２の顔を固定するための部分であり、被検者２の顎受け５ａと、額当て５ｂ等とを備えている。
滑動台６は、基台４に対して左右方向Ｘに移動可能に設けられている。
支持アーム７は、照明部８及び本体部１０を支持するアーム部材である。支持アーム７は、滑動台６に設けられている。支持アーム７は、照明部８及び本体部１０を、被検眼２ａをほぼ中心として鉛直方向Ｚの軸Ｚ３回りに回転可能に支持する。
【００１２】
照明部８及び本体部１０は、滑動台６及び支持アーム７によって、左右方向Ｘに移動可能にかつ鉛直方向Ｚの軸Ｚ３回りに回転可能に支持される。照明部８及び本体部１０の移動及び回転は、例えば、被検眼２ａを左眼から右眼へと変更する場合等に行われる。
照明部８は、照明光を被検眼２ａに照射する装置である。
【００１３】
本体部１０について、以下説明する。
図２は、本実施形態の本体部１０の右側光学系の光軸断面を示す側面図である。
図３は、本実施形態の本体部１０の断面を含む上面図である。
図４は、本実施形態の本体部１０の一部の分解斜視図である。
図５は、本実施形態の右側面及び左側面を表す斜視図である。
本体部１０は、対物顕微鏡部２０（拡大部）と、中間部３０と、撮像部４０と、双眼部４１（双眼観察部）とを備えている。
【００１４】
図２に示すように、対物顕微鏡部２０、中間部３０及び双眼部４１は、被検眼２ａ側からこの順番で配置される。対物顕微鏡部２０に入射した観察光は、中間部３０を通過して双眼部４１によって正立され観察眼３ｃに導かれたり、中間部３０から撮像部４０の方向つまり上側Ｚ２に導かれる。
図３に示すように、この光学系は、左右一対の光学系によって構成される内斜系実体の光学系である。左側光学系の光軸Ｏ１と右側光学系の光軸Ｏ２がなす角θ１は、被検眼２ａと観察部４１ａとの距離等によって定められており、例えば１２度程度である（図３参照）。
なお、右側光学系と、左側光学系とは、ビームスプリッタ部３６（後述する）の構成や、撮像部４０の有無等が相違し、その他の部分は、ほぼ左右対称の光学系である。以下、右側光学系について、主に説明する。
【００１５】
図２に示すように、対物顕微鏡部２０は、被検眼２ａを拡大する光学系を有している。対物顕微鏡部２０は、対物部ケース部２１と、対物部シャーシ２２と、第１群２３ａ、第２群２３ｂ及び第３群２３ｃから構成される光学系と、変倍軸２５（駆動力伝達部）とを備えている。
対物部ケース部２１は、対物顕微鏡部２０の筐体である。
対物部シャーシ２２は、対物顕微鏡部２０の基礎となるシャーシ部材である。
【００１６】
第１群２３ａ、第２群２３ｂ及び第３群２３ｃは、被検眼２ａ側からこの順番で配置されている。第１群２３ａ、第２群２３ｂ及び第３群２３ｃは、対物部シャーシ２２に固定されたレンズ鏡筒２４に収容されている。第１群２３ａ、第２群２３ｂ及び第３群２３ｃは、変倍光学系であり、第２群２３ｂが光軸Ｏ２に沿って駆動されることによって、倍率が変更可能である。
変倍軸２５は、第２群２３ｂを移動して、変倍光学系の倍率を変更する駆動力を伝達するための軸体である。変倍軸２５は、対物顕微鏡部２０の対物部ケース部２１及び中間部３０の中間部ケース部３１（後述する）内に、観察方向Ｙに平行に延在するように配置されている。変倍軸２５は、観察方向Ｙの軸回りに回転可能に保持されている。変倍軸２５は、第２群レンズ枠２６に噛み合うねじ部が、外周に設けられている。変倍軸２５は、回転されることにより、送りねじのようにして、第２群２３ｂ及び第２群レンズ枠２６を移動する。なお、変倍軸２５は、左右の光学系の第２群を一体で移動する。
【００１７】
中間部３０は、対物顕微鏡部２０と双眼部４１との間の部分である。
図２〜図４に示すように、中間部３０は、中間部ケース部３１と、中間部シャーシ３２と、バリアフィルタ部３３と、ビームスプリッタ部３６と、変倍軸回転部３９と、変倍操作部３９ｄとを備えている。
図２に示すように、中間部ケース部３１は、中間部３０の筐体である。
中間部シャーシ３２は、中間部３０の基礎となるシャーシ部材である。
【００１８】
図４に示すように、バリアフィルタ部３３は、バリアフィルタ３３ａと、光路長補正フィルタ３３ｂ（光路長補正部材）と、フィルタ保持枠３３ｃと、ガイド軸３３ｆと、フィルタ移動部３４と、フィルタ操作ノブ３５（フィルタ操作部）とを備えている。
図２に示すように、バリアフィルタ３３ａは、被検眼２ａを蛍光観察する場合に用いられる蛍光観察用のフィルタである。バリアフィルタ３３ａは、第３群２３ｃの後端のレンズから、ビームスプリッタ部３６との間に設けられている。バリアフィルタ３３ａは、対物顕微鏡部２０の左右一対の光学系にそれぞれ設けられている（図４参照）。
バリアフィルタ３３ａは、蛍光観察時には、観察光路内の観察位置に配置される。一方、バリアフィルタ３３ａは、通常の可視光等の観察時には、観察光の光軸Ｏ１，Ｏ２とはそれぞれ直交する方向（つまり下側Ｚ１）に移動して、観察光路から退避した退避位置に配置される。バリアフィルタ３３ａは、これら観察位置と退避位置との間で移動可能に設けられている。バリアフィルタ３３ａは、観察位置において、その各表面が各光学系の光軸Ｏ１，Ｏ２に直交するように配置される。
【００１９】
光路長補正フィルタ３３ｂは、透明なフィルタである。光路長補正フィルタ３３ｂは、バリアフィルタ３３ａが退避位置にある状態で観察光路内に配置される。これにより、光路長補正フィルタ３３ｂは、バリアフィルタ３３ａが退避位置にある状態の観察光路長と、バリアフィルタ３３ａが観察位置にある状態の観察光路長とが等しくなるように補正する。
【００２０】
図４に示すように、フィルタ保持枠３３ｃは、バリアフィルタ３３ａ及び光路長補正フィルタ３３ｂを、鉛直方向Ｚに一体で移動可能に保持する枠体である。
フィルタ保持枠３３ｃは、バリアフィルタ３３ａ及び光路長補正フィルタ３３ｂを、取り付け板３３ｄで挟みこむようにして保持する。フィルタ保持枠３３ｃは、移動する過程で変倍軸２５との干渉を防止する切り欠き３３ｅを有する。つまり、この切り欠き３３ｅは、フィルタ保持枠３３ｃが移動範囲の最下端に移動した場合に、変倍軸２５を逃げるようになっている。
【００２１】
ガイド軸３３ｆは、フィルタ保持枠３３ｃを鉛直方向Ｚに移動可能に支持し、ガイドする部材である。ガイド軸３３ｆは、中間部ケース部３１内の左側Ｘ１及び右側Ｘ２に、軸方向が鉛直方向Ｚになるように配置されている。ガイド軸３３ｆは、フィルタ保持枠３３ｃの左側Ｘ１及び右側Ｘ２に設けられたガイド溝及びガイド孔に係合して、フィルタ保持枠３３ｃを支持、ガイドする。
【００２２】
フィルタ移動部３４は、中間部ケース部３１の右側Ｘ２の範囲に収容され、フィルタ保持枠３３ｃを鉛直方向Ｚに移動するための移動機構である。
フィルタ移動部３４は、アーム部３４ａを備えている。
アーム部３４ａは、左右方向Ｘの回転軸３４ｃ回りに回転可能に支持されている。アーム部３４ａは、一端にフィルタ保持枠３３ｃの突起３３ｇに係合する切り欠き３４ｂを有しており、他の一端にフィルタ操作ノブ３５が設けられている。
フィルタ操作ノブ３５は、観察者３がフィルタ保持枠３３ｃを鉛直方向Ｚに移動するために操作する操作部材である。フィルタ操作ノブ３５は、中心軸がアーム部３４ａの回転軸３４ｃと同軸になるように配置されている。フィルタ操作ノブ３５は、回転操作されることによって、アーム部３４ａを回転軸３４ｃ回りに回転する。
【００２３】
図２〜図５に示すように、ビームスプリッタ部３６は、ビームスプリッタ３６ａ（屈曲部）と、透過部材３６ｄと、スプリッタ保持枠３６ｅと、ガイド軸３６ｆと、スプリッタ移動部３６ｇ（屈曲部移動部）と、スプリッタ操作ノブ３６ｈ（屈曲部操作部）とを備えている。
図２に示すように、ビームスプリッタ３６ａは、右側光学系の光路上に配置される。ビームスプリッタ３６ａは、鉛直方向Ｚに移動可能に中間部ケース部３１内に収容される。ビームスプリッタ３６ａは、鉛直方向Ｚに細長い四角柱状の部材である。ビームスプリッタ３６ａは、１つの側面が観察光の光軸Ｏ２に直行するように配置される。
ビームスプリッタ３６ａは、上側Ｚ２の透明部３６ｂが観察光を透過させ、一方、下側Ｚ１のスプリッタ部３６ｃが対物顕微鏡部２０からの光線を分割するようになっている。ビームスプリッタ３６ａは、下側Ｚ１に透過位置に配置された状態（図２に実線で示す状態）で、透明部３６ｂが観察光路内に配置され、観察光の全てを双眼部４１の方向に導く。一方、ビームスプリッタ３６ａは、上側Ｚ２の屈曲位置に配置された状態（図２に点線で示す状態）で、スプリッタ部３６ｃが観察光を分割して、一部の観察光を撮像部４０の方向に屈曲させ、他の観察光を双眼部４１の方向に導く。
【００２４】
図３に示すように、透過部材３６ｄは、ビームスプリッタ３６ａと同様な材料により形成され、左側光学系の光路上に配置される。透過部材３６ｄは、ビームスプリッタ３６ａを有する右側Ｘ２の光学系と、左側Ｘ１の光学系の光路長とが等しくなるように補正する部材である。透過部材３６ｄは、ビームスプリッタ３６ａとほぼ同一の外形を有する透明な角柱である。透過部材３６ｄは、ビームスプリッタ３６ａと一体で、鉛直方向Ｚに移動可能に中間部ケース部３１内に収容される。透過部材３６ｄは、一部材により形成されており、スプリッタ部を有さず、全ての観察光を透過させて双眼部４１に導くようになっている。
【００２５】
スプリッタ保持枠３６ｅは、ビームスプリッタ３６ａ及び透過部材３６ｄを、フィルタ移動部３４の移動方向と同じく鉛直方向Ｚに一体で移動可能に保持する枠体である。
ガイド軸３６ｆは、ガイド軸３３ｆと同様な部材であり、スプリッタ保持枠３６ｅを鉛直方向Ｚに移動可能に支持しガイドする。
スプリッタ移動部３６ｇは、フィルタ移動部３４と同様な構成によって、スプリッタ保持枠３６ｅを鉛直方向Ｚに移動するための移動機構である（詳細な説明は、省略する）。スプリッタ移動部３６ｇは、中間部ケース部３１の左側Ｘ１の範囲に収容される。
【００２６】
スプリッタ移動部３６ｇと、フィルタ移動部３４とは、中間部ケース部３１の左右方向Ｘの両端部であって左右対称の範囲に収容される。
これによって、本体部１０は、同様な構造であるフィルタ移動部３４及びスプリッタ移動部３６ｇを、ケース内にバランスよく配置できる。このため、本体部１０は、片側だけ大きくなったりすることがなく、また、左右方向Ｘの重量バランスをよくすることができるので、支持アーム７（図１参照）に無理な力が加わったりすることを防止することができる。
【００２７】
図５に示すように、スプリッタ操作ノブ３６ｈは、観察者３がスプリッタ保持枠３６ｅを鉛直方向Ｚに移動するために操作する操作部材である。スプリッタ操作ノブ３６ｈは、フィルタ操作ノブ３５と同様な構成によって、スプリッタ保持枠３６ｅを移動する。
【００２８】
スプリッタ操作ノブ３６ｈは、中間部ケース部３１の左側Ｘ１の側面のうち、フィルタ操作ノブ３５の左右対称の範囲に配置されている。
つまり、フィルタ操作ノブ３５及びスプリッタ操作ノブ３６ｈは、中間部ケース部３１の左右方向Ｘの側面に、左右対称に配置されている。これによって、観察者３は、これらの位置を感覚的に把握しやすく、操作性を向上することができる。
【００２９】
図４に示すように、変倍軸回転部３９は、変倍操作部３９ｄの回転力を変倍軸２５に伝達して、変倍軸２５を回転させる機構である。変倍軸回転部３９は、軸体３９ａと、ホイール３９ｃとを備えている。
軸体３９ａは、軸方向が左右方向Ｘになるように配置されており、中心軸回りに回転可能に中間部ケース部３１に収容されている。軸体３９ａは、ウォーム３９ｂが設けられている。
ホイール３９ｃは、変倍軸２５に設けられており、軸体３９ａのホイール３９ｃに噛み合っている。
変倍操作部３９ｄは、軸体３９ａの両端にそれぞれ設けられており、観察者３に回転操作されることにより軸体３９ａを回転する。これによって、軸体３９ａの回転力が変倍軸２５に伝達されて変倍軸２５が回転し、変倍光学系の倍率が変更される。
図５に示すように、変倍操作部３９ｄは、中間部ケース部３１の左右方向Ｘの側面の下側Ｚ１の範囲に、それぞれ設けられている。
【００３０】
図２に示すように、撮像部４０は、右側光学系の撮像情報を取得するためのＣＣＤ（Charge  Coupled  Device）等の撮像素子（図示せず）を備えた撮像装置である。撮像部４０は、中間部３０の上側Ｚ２の範囲に設けられている。撮像部４０は、ビームスプリッタ３６ａが屈曲位置に配置されたときに、右側光学系の観察光を撮像素子表面に結像させて、被検眼２ａの撮像データを取得する。撮像部４０は、ケース４０ａに収容されている。
【００３１】
図３に示すように、双眼部４１は、対物顕微鏡部２０からの観察光が導かれる左右一対の光学系を有し、観察者３が被検眼２ａを観察する部分である。双眼部４１は、対物顕微鏡部２０からの観察光を、正立させて観察眼３ａへと導く。
【００３２】
図６は、本実施形態のフィルタ保持枠３３ｃの移動動作を模式的に説明する右側面図である。
図６（ａ）は、フィルタ保持枠３３ｃが上側Ｚ２に配置され、バリアフィルタ３３ａが観察位置に配置された状態、つまり蛍光観察時の状態である。この状態から観察者３がフィルタ操作ノブ３５を右回りに回転すると、アーム部３４ａは、右回りに回転しフィルタ保持枠３３ｃの突起３３ｇを下側に押し下げ、フィルタ保持枠３３ｃが下側Ｚ１に移動する。
図６（ｂ）に示すように、フィルタ保持枠３３ｃが下側Ｚ１に移動すると、バリアフィルタ３３ａが退避位置に移動し、光路長補正フィルタ３３ｂが観察光路上に配置される。フィルタ保持枠３３ｃは、ストッパ（図示せず）によって、下側Ｚ１に移動しないようになっている。これよって、観察者３は通常の観察をすることができる。
【００３３】
これとは反対に、バリアフィルタ３３ａを退避位置から観察位置に移動する場合には、前述した操作とは逆の操作をすればよい。
また、スプリッタ保持枠３６ｅの移動も、フィルタ保持枠３３ｃと同様な動作によって行われる（詳細な説明は、省略する）。
【００３４】
以上説明した構成、動作によって、細隙灯顕微鏡１は、以下の作用・効果を奏することができる。
（１）細隙灯顕微鏡１は、フィルタ操作ノブ３５の操作に応じて、蛍光観察及び通常の観察等の切り替えを容易に行うことができる。蛍光観察は、例えば、コンタクトレンズの検査に用いられる等、眼科医療の現場では頻繁に行われている。このため、細隙灯顕微鏡１は、蛍光観察及び通常の観察等の切り替えを容易にすることより、眼科医療の現場での利便性を向上することができる。
（２）観察者３は、蛍光観察及び通常の観察等の切り替えをするためにアタッチメント等を着脱する必要がないので、双眼部４１から眼を離さないでフィルタ操作ノブ３５の操作をすることができる。
【００３５】
（３）細隙灯顕微鏡１は、蛍光観察及び通常の観察等を連続して行うことができ、被検者２に色々な検査をしていると思わせたりすることがないので、被検者２を不安にさせることがない。
（４）細隙灯顕微鏡１は、光路長補正フィルタ３３ｂを備えるので、バリアフィルタ３３ａが観察位置と退避位置とに配置された場合の光路長を等しくし、精度のよい観察等をすることができる。また、バリアフィルタ３３ａが退避位置に移動することによって、光路長補正フィルタ３３ｂが自然に観察光路内に配置されるので、利便性がよい。
【００３６】
次に、本体部１０の各部材の配置について詳細に説明する。
図３に示すように、中間部３０は、対物顕微鏡部２０と双眼部４１との間に位置し、上側Ｚ２からみると、左右方向Ｘに長い矩形の領域を有する部分である。ビームスプリッタ部３６は、この領域の観察方向後側Ｙ２に配置されており、観察方向前側Ｙ１の部分と、対物顕微鏡部２０の第３群２３ｃの後端のレンズとの間には、鎖線で示すように、光軸Ｏ１，Ｏ２に対応して屈曲する左右方向Ｘに細長い間隙Ｓを形成するようになっている。間隙Ｓは、鉛直方向Ｚに延在している（図２参照）。
フィルタ保持枠３３ｃは、この間隙Ｓに対応して屈曲するように外形が形成されており、鉛直方向Ｚに移動することによって、この狭い間隙Ｓ内であっても、バリアフィルタ３３ａを観察位置と退避位置との間で移動することができる。また、フィルタ保持枠３３ｃ及びスプリッタ保持枠３６ｅは、移動方向が同じ鉛直方向Ｚであるので、内斜系実体の光学系であっても、互いの移動範囲が重複することがないので、互いに干渉することなく自由に移動することができる。
【００３７】
また、図５に示すように、フィルタ操作ノブ３５及びスプリッタ操作ノブ３６ｈは、中間部ケース部３１の左右方向Ｘの側面に、左右対称に配置されている。また、変倍軸２５をフィルタ保持枠３３ｃに干渉することなく配置しているので、フィルタ保持枠３３ｃの観察方向前側Ｙ１に配置された第２群２３ｂを、フィルタ保持枠３３ｃの観察方向後側Ｙ２に配置された変倍操作部３９ｄによって操作することができる。
これによって、細隙灯顕微鏡１は、変倍操作部３９ｄを、バリアフィルタ３３ａよりも観察方向後側Ｙ２に設け、フィルタ操作ノブ３５及びスプリッタ操作ノブ３６ｈと同じく中間部ケース部３１に配置することができる。また、左右の変倍操作部３９ｄは、フィルタ操作ノブ３５及びスプリッタ操作ノブ３６ｈの下側Ｚ１に配置されている。つまり、細隙灯顕微鏡１は、バリアフィルタ３３ａを内蔵し、各操作部を集中して配置できるので、これら操作部の位置を感覚的に把握しやすくできるとともに、操作性を向上することができる。
【００３８】
以上説明したように、本実施形態の細隙灯顕微鏡１は、バリアフィルタ３３ａを汚損することなく、通常の観察と蛍光観察との切り替えを行うことができる。また、バリアフィルタ３３ａを予め内蔵しても、バリアフィルタ３３ａ、変倍、ビームスプリッタ部３６の各操作性を向上することができる。
【００３９】
以上、本発明の実施形態について説明したが、本発明は前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。
【符号の説明】
【００４０】
１…細隙灯顕微鏡    ２ａ…被検眼    ３ａ…観察眼    １０…本体部    ２０…対物顕微鏡部    ２３ｂ…第２群    ２５…変倍軸    ３０…中間部    ３１…中間部ケース部    ３３ａ…バリアフィルタ    ３３ｂ…光路長補正フィルタ    ３３ｃ…フィルタ保持枠    ３３ｅ…切り欠き    ３４ａ…アーム部    ３５…フィルタ操作ノブ    ３６ａ…ビームスプリッタ    ３６ｂ…透明部    ３６ｃ…スプリッタ部    ３６ｄ…透過部材    ３６ｅ…スプリッタ保持枠    ３６ｈ…スプリッタ操作ノブ    ３９…変倍軸回転部    ３９ｄ…変倍操作部    ４０…撮像部    ４１…双眼部    Ｏ１，Ｏ２…光軸    Ｓ…間隙
【図１】
2011004877.tif 000003
【図２】
2011004877.tif 000004
【図３】
2011004877.tif 000005
【図４】
2011004877.tif 000006
【図５】
2011004877.tif 000007
【図６】
2011004877.tif 000008